(57)【要約】【課題】水底の不陸や障害物に影響されることなく安定してかつ効率よく水底耕耘を行うことができるようにすると共に、耕耘厚みの変更にも容易に対応できるようにする。【解決手段】台船１に形成した開口部２を挿通して上下方向に延ばした鋼製櫓４の下端部に噴流装置５を取付け、前記櫓４をウインチ９を駆動源とする駆動手段７により下降させて噴流装置５を水底近傍に位置決めし、台船１上に配置した気液混合装置３で得た酸素富化水を、水中ポンプ１９から圧送された水域の表層水に合流させて噴流装置５に圧送し、該噴流装置５から水底に向けてジェット水流を噴出しながら台船１を移動させて、固結層Ｃを耕耘して改良層Ｅに変える。【選択図】  図１
2006345753.tif 000002
【特許請求の範囲】
【請求項１】
台船上に、水に空気を溶解および混入させて酸素富化水を得る気液混合装置を配置し、前記台船から水底近傍に下ろした噴流装置に前記気液混合装置から前記酸素富化水を圧送し、該噴流装置から噴出する水流によって水底を耕耘する底質改良装置において、前記噴流装置を、前記台船に形成した開口部を挿通して上下方向に延ばした鋼製櫓の下端部に配設し、前記櫓を駆動手段により昇降動させることを特徴とする底質改良装置。
【請求項２】
気液混合装置を、水域の表層水を噴流装置へ圧送する給水管に配管接続し、該気液混合装置で得た酸素富化水を前記給水管内の水と合流して噴流装置へ圧送することを特徴とする請求項１に記載の底質改良装置。
【請求項３】
噴流装置が、台船の幅方向に形成した開口部に合せて長尺に形成されており、鋼製櫓が、前記噴流装置の両端部に位置して２基設けられることを特徴とする請求項１または２に記載の底質改良装置。
【請求項４】
台船に形成した開口部を挿通して上下方向に延ばした鋼製櫓の下端部に噴流装置を取付け、前記櫓を駆動手段により下降させて前記噴流装置を水底近傍に位置決めし、台船上に配置した気液混合装置で得た酸素富化水を前記噴流装置に圧送して、該噴流装置から水底に向けて水流を噴出しながら台船を移動させて水底を耕耘することを特徴とする底質改良工法。
【請求項５】
気液混合装置で得た酸素富化水を、別途ポンプ圧送される水域の表層水と合流して噴流装置へ圧送することを特徴とする請求項４に記載の底質改良工法。
【発明の詳細な説明】
【技術分野】
【０００１】
本発明は、海底、湖底、川底等の水底を水流によって耕耘し、底質を改良する底質改良装置および底質改良工法に関する。
【背景技術】
【０００２】
近年、底質の悪化に起因する魚介類の漁獲の減少や海草類の収穫の減少が大きな問題になっている。この底質の悪化は、現象として細粒分の堆積による貧酸素化、固結化、富栄養化等として現われ、貧酸素水塊の発生原因にもなっている。そこで最近、水底を積極的に耕耘して底質を改良することが種々行われている。中でも、水深の深い場所でも実施可能であり、かつ、効率および経済性の面でも優れていることから、水流（ジェット水流）によって水底を耕耘する水流方式が注目されている。
【０００３】
そして従来、上記水流方式の水底耕耘技術としては、例えば、特許文献１または特許文献２に記載されるものがあった。このうち、特許文献１に記載されるものは、海水を噴出する噴出部材（噴流装置）を台船から起重機で吊って海底に降ろし、ポンプで汲み上げた海水を前記噴出部材に圧送して、水流を海底に向けて噴出させながら、該噴流装置をワイヤを介して台船にけん引させるようにしている。また、特許文献２に記載されるものは、台船上に微細気泡混合装置を配置し、台船から水底に降ろした水底耕耘装置（噴流装置）に前記微細気泡混合装置から微細気泡混合水（酸素富化水）を圧送し、水流を海底に向けて噴出させながら、該噴流装置をロープを介して台船にけん引させるようにしている。
【特許文献１】特開２００４−１９１８０号公報
【特許文献２】特開２００３−２６５０６３号公報
【発明の開示】
【発明が解決しようとする課題】
【０００４】
しかしながら、上記各特許文献に記載される水流方式の水底耕耘技術によれば、何れもソリ部（特許文献１）やベース部（特許文献２）を介して噴流装置を水底上で滑走させるようにしているため、水底に存在する不陸や障害物の影響で噴流装置が上下方向や水平方向へ揺動し、蛇行する虞もあって、安定して水底耕耘を行うことができない、という問題があった。また、噴流装置の噴出高さが、前記ソリ部やベース部によって一義的に定まるため、底質の性状によって噴出高さを調整して耕耘厚みを変えたい場合には、噴流装置を再組立てしなければならず、臨機に対応できない、という問題もあった。なお、特許文献２に記載のものでは、障害物を避けるため、噴流装置をフロートで吊ることも行っているが、このような対策では、水流噴出による推力の影響もあって噴流装置の水中での揺動が避けられず、根本的な解決に到らない。
【０００５】
本発明は、上記した従来の問題点に鑑みてなされたもので、その課題とするところは、水底の不陸や障害物に影響されることなく安定してかつ効率よく水底耕耘を行うことができると共に、耕耘厚みの変更にも容易に対応できる底質改良装置および底質改良工法を提供することにある。
【課題を解決するための手段】
【０００６】
上記課題を解決するため、本発明に係る底質改良装置は、台船上に、水に空気を溶解および混入させて酸素富化水を得る気液混合装置を配置し、前記台船から水底近傍に下ろした噴流装置に前記気液混合装置から前記酸素富化水を圧送し、該噴流装置から噴出する水流によって水底を耕耘する底質改良装置において、前記噴流装置を、前記台船に形成した開口部を挿通して上下方向に延ばした鋼製櫓の下端部に配設し、前記櫓を駆動手段により昇降動させるようにしたことを特徴とする。
【０００７】
上記のように構成した底質改良装置においては、台船の開口部を挿通して延ばした鋼製櫓の下端部に噴流装置を設けているので、噴流装置を、水底上で滑走させることなく櫓を介して台船と一体に移動させることができ、したがってその移動は安定する。また、昇降手段により櫓を昇降させて噴流装置の設置高さを任意に変更することできる。
【０００８】
本底質改良装置においては、上記気液混合装置を、水域の表層水を噴流装置へ圧送する給水管に配管接続し、該気液混合装置で得た酸素富化水を前記給水管内の水と合流して噴流装置へ圧送するようにしてもよく、この場合は、噴流装置から勢いを有する大量の水を噴出させて、効率よく水底を耕耘することができる。
【０００９】
本底質改良装置においてはまた、噴流装置が、台船の幅方向に形成した開口部に合せて長尺に形成されており、鋼製櫓が、前記噴流装置の両端部に位置して２基設けられる構成とすることができ、この場合は、長尺の噴流装置により効率よく水底の耕耘を行うことができる。
【００１０】
上記課題を解決するため、本発明に係る底質改良工法は、台船に形成した開口部を挿通して上下方向に延ばした鋼製櫓の下端部に噴流装置を取付け、前記櫓を駆動手段により下降させて前記噴流装置を水底近傍に位置決めし、台船上に配置した気液混合装置で得た酸素富化水を前記噴流装置に圧送して、該噴流装置から水底に向けて水流を噴出しながら台船を移動させて水底を耕耘することを特徴とする。この場合、前記気液混合装置で得た酸素富化水を、別途ポンプ圧送される水域の表層水と合流して噴流装置へ圧送するようにしてもよい。
【発明の効果】
【００１１】
本発明に係る底質改良装置および底質改良工法によれば、水底の不陸や障害物に影響されることなく安定してかつ効率よく水底耕耘を行うことができると共に、耕耘厚みの変更にも容易に対応できるので、利用価値が著しく向上する。
【発明を実施するための最良の形態】
【００１２】
以下、本発明を実施するための最良の形態を添付図面に基づいて説明する。
【００１３】
図１〜図３は、本発明の１つの実施形態としての底質改良装置を示したものである。これらの図において、１は台船であり、台船１のほぼ中央部分には、その幅方向に長尺をなす矩形の開口部２が形成されている。本底質改良装置は、前記台船１上の一端側に配置された気液混合装置３と、前記開口部２を挿通して上下方向に延ばされた２基の鋼製櫓４、４と、この２基の鋼製櫓４、４の下端部に共通に固設された２台の噴流装置５、５と、気液混合装置３から噴流装置５へ水を圧送する給水ホース（給水管）６と、前記各櫓４を同期して昇降駆動する駆動手段７、７とから概略構成されている。
【００１４】
上記２基の鋼製櫓４、４は、開口部２の両端部を囲むように台船１上に配設したコ字形のガイド部材８によってガイドされて、直立姿勢を維持するようになっている。上記各駆動手段７は、台船１上に配置されたウインチ９と、前記ガイド部材８の上端の片側に配置された第１の滑車１０と櫓４の下端部の片側に設けられた第２の滑車１１とを備えている。この駆動手段７において、前記ウインチ９から繰出されたワイヤ１２は、前記第１の滑車１０から第２の滑車１１に掛け回されると共に、その一端が前記ガイド部材８の上端の他側に固結されている。これにより２台のウインチ９を同期して回転させると、ワイヤ１２が繰出しまたは巻取りされ、これに応じて２基の鋼製櫓４、４が一体的に昇降動するようになる。各櫓４は、ここでは、深い水深（一例として、１０数ｍｍ）の海底（水底）Ａに下端を到達させた状態で、その上端部がガイド部材８の上方に延在する十分なる長さを有している。
【００１５】
なお、台船１上の一端側にはＧＰＳアンテナ１３を備えた操作室１４が配設されており、この操作室１４内には、図示を省略するが、前記ＧＰＳアンテナ１３からＧＰＳ信号を取込んで台船１の位置を演算する演算装置を始め、台船１を操船するための操船制御装置、前記櫓４用のウインチ９を制御する制御装置等が配設されている。また、台船１上の他端側には、前記櫓４の昇降に応じて給水ホース６を誘導する起重機１５が搭載されている。
【００１６】
ここで、上記各噴流装置５は大径のパイプからなっており、その２台が上記２基の鋼製櫓４、４間に前記台船１の開口部２から食み出さないように平行に橋架されている。各噴流装置５は、台船１の開口部２の大きさ合せてその長さが設定されており（一例として、１０ｍ程度）、その下面側には、所定の大きさを有する噴出口１６（図３）が長手方向に所定のピッチで配列して多数形成されている。この場合、２台の噴流装置４の相互間で、１／２ピッチずつずれるように噴出口１６の位置が設定されている。一方、各噴流装置５の上面側の長手方向の中間部位には、給水ホース６から分岐した分岐管６ａが接続される流入口１７（図２）が形成されている。
【００１７】
本実施形態において、上記気液混合装置３および給水ホース６を含む給水系は、図３に示されるように構成されている。すなわち、前記給水ホース６の一端部はストレーナ１８を介してポンプ（水中ポンプ）１９に接続されている。この水中ポンプ１９は、図１にも示されるように、台船１の外壁の喫水下に固定されており、その取水口１９ａから水域の表層水を吸入できるようになっている。給水ホース６の口径は、一例として１５０ｍｍ程度となっており、これにより上記噴流装置４に対し、大量の表層水をポンプ圧送できるようになる。
【００１８】
一方、気液混合装置３は、２台のポンプ２０、２１を有する主配管２２と、下流側のポンプ（渦巻きポンプ）２１をバイパスして主配管２２に接続された副配管２３とを備えており、その副配管２３にはインジェクタ２４が介装されている。主配管２２は、その一端が前記水中ポンプ１９とほぼ同じ高さレベルに位置決めされると共に、その他端が前記給水ホース６の途中に接続されている。２台のポンプ２０、２１の運転により水域の表層水が主配管２２内に吸入され、この表層水の一部が副配管２３内に流入し、インジェクタ２４を通過して主配管２２に還流する。インジェクタ２４には空気吸込管２５が接続されており、前記副配管２３に流入した水がこのインジェクタ２４を通過する間に、該水に空気が溶解および混入される。この空気が溶解および混入された水は、下流側のポンプ２１内でさらに撹拌され、これにより多量の空気が溶解および混入された酸素富化水が前記給水ホース６内に圧送される。なお、この種の気液混合装置については、特許２５１６１７２号公報に詳細に記載されており、ここでは、同公報に記載されたものと実質的に同じ気液混合装置３を用いている。なお、前記主配管２２および副配管２３としては、一例として、口径３０ｍｍ程度のものが用いられる。
【００１９】
以下、上記のように構成した底層改良装置による底層改良工法について説明する。
【００２０】
底層改良に際しては、先ず台船１を曳船等により改良場所の上方海域に誘導し、図示を略すアンカーを投錨して台船１の位置を固定する。次に、ＧＰＳアンテナ１３から取込んだＧＰＳ信号を利用して台船１の位置を確認しながら、ウインチ操作により台船１を海底耕耘の開始位置にの上方に位置決めし、次に、各駆動手段７、７を構成するウインチ９、９を同期して回転させ、２基の鋼製櫓４、４をガイド部材８をガイドにして下降させる。そして、櫓４下の２台の噴流装置５、５が海底Ａの上面からわずか離間する位置まで櫓４を下降させたらウインチ９を停止し、次に、水中ポンプ１９と気液混合装置３内の２台のポンプ２０、２１の運転を開始する。すると、水中ポンプ１９の運転により水域の表層水が大径の給水ホース６を通して噴流装置５へ圧送される。一方、気液混合装置３内の２台のポンプ２０、２１の運転により同じく表層水に空気を溶解および混入された酸素富化水が主配管２２を通して前記給水ホース６に圧送される。これにより酸素富化水を含む水が２台の噴流装置５へ圧送され、図１に示されるように各噴流装置５の噴出口１６から海底Ａに向けて水流（ジェット水流）が噴出する。
【００２１】
底質が悪化した海底Ａは、通常図１に示されるように、原地盤Ｂ上に細粒分が堆積、固化した固結層Ｃとこの上に堆積したヘドロ層Ｄとを有する多層構造となっており、上記した噴流装置５からのジェット水流によってヘドロ層Ｄを含む固結層Ｃが掘削撹拌され、海底耕耘が開始される。そして、この海底耕耘の開始と同時にウインチ操作により台船１を耕耘方向Ｆへ所定の速度で移動させる。すると、前記噴流装置５が台船１と一体に耕耘方向Ｆへ移動し、これにより水底耕耘が進み、噴流装置５の通過跡には細粒分が混り合った改良層Ｅが形成される。この海底耕耘は、ウインチ操作で移動できる台船１の移動範囲内で連続に進行し、これにより、噴流装置５の全長と台船１の移動距離とで決まる広範な改良層Ｅ、一例として幅１０ｍ、長さ１５０ｍを有する改良層Ｅが形成される。一方、前記噴流装置５は、海底Ａとわずかの間隔を保ちながら安定して移動するので、耕耘厚みは一定となり、形成された改良層Ｅの厚みも一定となる。本実施形態においては特に、水中ポンプ１９から大量の表層水が噴流装置５へ圧送されるので、勢いを有する大量の水が噴流装置５からジェット水流として噴出され、この結果、前記固結層Ｃがかなりの厚み（例えば、１ｍ程度）を有していても確実に掘削撹拌される。
【００２２】
しかして、上記ジェット水流中には、気液混合装置３で得られた酸素富化水が含まれており、前記改良層Ｅ中には、酸素が十分に供給され、これにより貝類の生息環境が著しく改善される。また、酸素富化水が水中に放出されることで、微細気泡が多量に発生し、水底Ａ付近に酸素を高濃度に含む富酸素水塊が発生し、これにより魚類の生息環境が著しく改善される。微細気泡は、浮上しにくい性質を有しているので、改良層Ｅの上方の水域は長期にわたって富酸素状態を維持し、この結果、改良層Ｅ内はもちろん、改良層Ｅの上方水域は豊富な漁場として、並びに海草類の繁殖場として再生する。
【００２３】
なお、上記実施形態においては、鋼製櫓４下に２台の噴流装置５を設けるようにしたが、この噴流装置５の数は任意であり、１台でも３台以上でもよい。また、給水ホース６から各噴流装置５に対する水の分配は、上記実施形態におけるように長手方向の中間部位の一箇所（流入口１７）だけでなく、長手方向の複数箇所に対して行ってもよいことはもちろんである。また、使用する鋼製櫓４の数も任意であり、１基であっても３基以上であってもよい。また、鋼製櫓４を昇降動させる駆動手段７も任意であり、前記ウインチ９による駆動方式に代えて他の方式、例えば、ラックピニオン機構等による電動方式、あるいはクレーンによる吊下方式を採用してもよい。また、上記実施形態においては、ウインチ操作により台船１を移動させながら海底耕耘を行うようにしたが、この台船１を移動させる方式は任意であり、例えば、曳船により曳行しても、あるいは自走式としてもよい。
【００２４】
さらに、上記実施形態においては、気液混合装置３で得た酸素富化水を、別途ポンプ圧送される表層水と合流して噴流装置５へ圧送するようにしたが、本発明は、気液混合装置３で得た酸素富化水のみを噴流装置５へ圧送するようにしてもよく、この場合は、水底により効率よく酸素を供給できる。また、この気液混合装置３においては、取入れ空気の一部または全部を純酸素に代えてもよいもので、この場合は、さらに効率よく水底に酸素を供給することができる。
【図面の簡単な説明】
【００２５】
【図１】本発明の１つの実施形態としての底質改良装置の全体構造とその使用態様とを一部断面として示す側面図である。
【図２】図１に示した底質改良装置の平面図である。
【図３】本底質改良装置内の給水系を示す模式図である。
【符号の説明】
【００２６】
１    台船
２    開口部
３    気液混合装置
４    鋼製櫓
５    噴流装置
６    給水ホース
７    櫓の駆動手段
９    ウインチ
１９  ポンプ（水中ポンプ）
２２  気液混合装置用主配管
２３  気液混合装置用副配管
２４  インジェクタ
Ａ    海底
Ｂ    原地盤
Ｃ    固結層
Ｄ    ヘドロ層
Ｅ    改良層
【図１】
2006345753.tif 000003
【図２】
2006345753.tif 000004
【図３】
2006345753.tif 000005